(57)【要約】【課題】例え蒸散孔に異物が侵入したとしても、当該異物を筐体内部から外部へ容易に退避させることができる加熱蒸散装置（１）を提供すること。【解決手段】蒸散孔（３）を介して筺体（２）の内側から外側に向かう力を掛けられたときに蒸散孔（３）を拡開する蓋体（２ｃ）を筺体（２）に揺動自在に設けた。【選択図】　　　図１
2004081116.tif 000002
【特許請求の範囲】
【請求項１】
液体を収容するための液体容器と、
前記液体容器に取付けられ、前記液体容器から露出される一端および前記液体に浸漬される他端を有する吸液芯と、
前記吸液芯を加熱するために該吸液芯の一端の近傍に配設された加熱手段と、
前記吸液芯が取付けられた前記液体容器および前記加熱手段を収容し、前記加熱手段による加熱によって前記吸液芯から蒸散される気体を外部に放出するための蒸散孔が少なくとも一つ形成される筺体と、
前記蒸散孔を画成する面の一部を形成するように前記筐体に設けられ、前記蒸散孔を介して前記筺体の内側から外側に向かう力を掛けられたときに前記蒸散孔を拡開する開放手段と、
を備えていることを特徴とする加熱蒸散装置。
【請求項２】
前記開放手段が、前記筺体から外方に展開可能なように前記筐体に揺動自在に設けられた蓋体であることを特徴とする請求項１に記載した加熱蒸散装置。
【請求項３】
前記蒸散孔への外部からの異物の侵入を防止するための異物侵入防止手段を更に備え、
前記異物侵入防止手段が前記開放手段に設けられていることを特徴とする請求項１または請求項２に記載した加熱蒸散装置。
【請求項４】
液体を収容するための液体容器と、
前記液体容器に取付けられ、前記液体容器から露出される一端および前記液体に浸漬される他端を有する吸液芯と、
前記吸液芯を加熱するために該吸液芯の一端の近傍に配設された加熱手段と、
前記吸液芯が取付けられた前記液体容器および前記加熱手段を収容する筐体と、
前記加熱手段による加熱によって前記吸液芯から蒸散される気体を外部に放出するための蒸散孔を少なくとも一つ有し、当該蒸散孔を介して前記筺体の内側から外側に向かう力を掛けられたときに前記筺体から外方に展開するように前記筐体に揺動自在に設けられた開放手段と、
を備えていることを特徴とする加熱蒸散装置。
【請求項５】
前記開放手段が、前記蒸散孔への外部からの異物の侵入を防止するための異物侵入防止手段を設けた蓋体であることを特徴とする請求項４に記載した加熱蒸散装置。
【請求項６】
液体を収容するための液体容器と、
前記液体容器に取付けられ、前記液体容器から露出される一端および前記液体に浸漬される他端を有する吸液芯と、
前記吸液芯を加熱するために該吸液芯の一端の近傍に配設された加熱手段と、
前記吸液芯が取付けられた前記液体容器および前記加熱手段を収容し、前記加熱手段による加熱によって前記吸液芯から蒸散される気体を外部に放出するための蒸散孔を少なくとも一つ有する筐体と、
を備え、
前記筐体が、前記蒸散孔を画成する面を有し且つ当該蒸散孔を介して前記筺体の内側から外側に向かう力を掛けられたときに前記筺体から分離されるように設けられた開放手段を備えていることを特徴とする加熱蒸散装置。
【請求項７】
前記開放手段が、前記蒸散孔への外部からの異物の侵入を防止するための異物侵入防止手段を設けた蓋体であることを特徴とする請求項６に記載した加熱蒸散装置。
【発明の詳細な説明】
【０００１】
【発明の属する技術分野】
本発明は、加熱蒸散装置に関し、より詳細には、殺虫剤、芳香剤、等の薬剤を蒸散するための蒸散孔を有する加熱蒸散装置の筐体（特に、上部筺体）の構造に関する。
【０００２】
【従来の技術】
従来から、蚊等の害虫を駆除するための殺虫剤、芳香剤、等の薬剤を室内に拡散するための加熱蒸散装置が知られている（例えば、特許文献１参照）。図９は、特許文献１で開示されている従来の加熱蒸散装置の概略図である。
【０００３】
【特許文献１】
特開２０００−８３５５４号公報（第２頁、第９図）
【０００４】
図９に示されるように、加熱蒸散装置５０は、上部筺体５２および下部筺体５３を、嵌着または接着等により組み合せてなる筺体５１を有し、筺体５１内に液体容器６０を収容できるようになっている。液体容器６０内には、殺虫成分や芳香成分等を含む液体が収容されている。有底筒状の液体容器６０には、液体容器６０内の液体を吸い上げ可能な吸液芯６１が、その一端を液体容器６０の小径部６０ａから外部に露出するように突出させ、そしてその他端を液体に浸漬させて、取付けられている。液体容器６０は、下部筺体５３の底部側に開放して設けられた装着孔から筺体５１内に装着される。
【０００５】
筺体５１内には、液体容器６０の小径部６０ａを係止する位置決め部材５４が設けられており、位置決め部材５４には、電気ヒーター等の加熱手段（即ち、発熱体）５５がネジ５６により固定されている。位置決め部材５４および加熱手段５５にはそれぞれ貫通孔が設けられており、液体容器６０を筺体５１内に装着した際には、液体容器６０から突出する吸液芯６１がそれらの貫通孔を貫通して装着される。その状態で、吸液芯６１の一端の近傍に配設された加熱手段５５により吸液芯６１を熱することで、吸液芯６１に吸い上げられた液体容器６０内の液体が蒸散されて気体となる。
【０００６】
筺体５１内には、光源５７が光源固定部材５８によって適宜の位置に固定されている。また、筺体５１の外壁には、電源コード６２、加熱手段５５や光源５７への通電を制御するスイッチ６３、光源５７の光を受光して作動・非作動を外部に表示する受光部材６４、液体容器６０内の残液量を外部から確認するための窓６５、等が設けられている。そして筺体５１外壁の図中上方には、吸液芯６１から蒸散された気体を外部に放出するための蒸散孔６６が設けられている。蒸散孔３と吸液芯６１の上端（一端）ならびに加熱手段５５の上端との間には所定の間隔（距離）があけられている。蒸散孔６６は、蒸散された気体が望ましくは蒸散孔６６の開口周辺に当たることなく外部に放出されるように、吸液芯６１の断面面積より広い開口面積を有している。
【０００７】
加熱蒸散装置５０においては、蒸散孔６６の開口面積が広いため、当該蒸散孔６６に異物（例えば、可燃物、導電性物品、熱伝導性物品、手指、等）が侵入し易い。そこで、蒸散孔６６への異物の侵入防止策としては、許容される最低限の蒸散効率を維持しながら（換言すれば、蒸散された薬剤の蒸散孔周辺への付着による蒸散効率の低下に配慮しながら）、当該蒸散孔６６を複数の小さな開口面積の蒸散孔に区分けする格子を筐体５１に設けることや、蒸散孔６６の代わりに小さな開口面積の蒸散孔を筐体５１に複数設けること、等が考えられる。
【０００８】
【発明が解決しようとする課題】
しかしながら、前述のように蒸散効率に配慮しながら設けられた蒸散孔では、依然として、異物が侵入、例えば、子供等が強引に異物を挿入する可能性があり、その上、当該異物が蒸散孔に嵌り込んで該蒸散孔から容易に離脱できなくなる可能性もある。最も注意せねばならないのは、加熱蒸散装置５０の筐体５１内で蒸散孔近傍に配置された高温となる部材（特に、加熱手段５５および吸液芯６１の一端）と異物との接触であり、それ故、異物が蒸散孔に嵌り込んだ場合でも筐体５１内部から外部へ容易に異物を退避させることができる構造が望まれる。
【０００９】
本発明は、前述した課題に鑑みてなされたものであり、その目的は、例え蒸散孔に異物が侵入したとしても、当該異物を筐体内部から外部へ容易に退避させることができる加熱蒸散装置を提供することにある。
【００１０】
【課題を解決するための手段】
前述した目的を達成するために、本発明に係る第１の加熱蒸散装置は、請求項１に記載したように、
液体を収容するための液体容器と、
前記液体容器に取付けられ、前記液体容器から露出される一端および前記液体に浸漬される他端を有する吸液芯と、
前記吸液芯を加熱するために該吸液芯の一端の近傍に配設された加熱手段と、
前記吸液芯が取付けられた前記液体容器および前記加熱手段を収容し、前記加熱手段による加熱によって前記吸液芯から蒸散される気体を外部に放出するための蒸散孔が少なくとも一つ形成される筺体と、
前記蒸散孔を画成する面の一部を形成するように前記筐体に設けられ、前記蒸散孔を介して前記筺体の内側から外側に向かう力を掛けられたときに前記蒸散孔を拡開する開放手段と、
を備えていることを特徴としている。
【００１１】
請求項１に記載の発明によれば、蒸散孔を画成する面の一部を形成するように筐体に設けられ、蒸散孔を介して筺体の内側から外側に向かう力を掛けられたときに当該蒸散孔を拡開する開放手段を第１の加熱蒸散装置が備えているので、誤って異物が蒸散孔に嵌り込んで引っ掛かっても、当該異物を蒸散孔から外方に引くことに伴って開放手段に筺体の内側から外側に向かう力が作用し、これにより当該開放手段が蒸散孔を拡開するので、極めて容易に異物を高温となる部材から退避させ、蒸散孔から離脱させることができる。
【００１２】
また、本発明に係る第１の加熱蒸散装置は、請求項２に記載したように、前記開放手段が、前記筺体から外方に展開可能なように前記筐体に揺動自在に設けられた蓋体であることを特徴としている。
【００１３】
請求項２に記載の発明によれば、開放手段が、筺体から外方に展開可能なように該筐体に揺動自在に設けられた蓋体であるので、蒸散孔を大きく拡開することができ、それにより、該蒸散孔に嵌め込まれた異物を傷つけることなく簡単に離脱させることができる。また、開放手段、即ち、蓋体が筐体に揺動自在に設けられているため、異物を離脱後は筐体に対して蓋体を直ぐに元の状態に戻すことができ、更には、別体の部材とは異なり、蓋体が筐体から外れて紛失するようなことがない。
【００１４】
また、本発明の第１の加熱蒸散装置は、請求項３に記載したように、前記蒸散孔への外部からの異物の侵入を防止するための異物侵入防止手段を更に備え、前記異物侵入防止手段が前記開放手段に設けられていることを特徴としている。
【００１５】
請求項３に記載の発明によれば、蒸散孔への外部からの異物の侵入を防止するための異物侵入防止手段を開放手段に設けたので、筐体内への異物の侵入を防止することができる。
【００１６】
また、前述した目的を達成するために、本発明に係る第２の加熱蒸散装置は、請求項４に記載したように、
液体を収容するための液体容器と、
前記液体容器に取付けられ、前記液体容器から露出される一端および前記液体に浸漬される他端を有する吸液芯と、
前記吸液芯を加熱するために該吸液芯の一端の近傍に配設された加熱手段と、
前記吸液芯が取付けられた前記液体容器および前記加熱手段を収容する筐体と、
前記加熱手段による加熱によって前記吸液芯から蒸散される気体を外部に放出するための蒸散孔を少なくとも一つ有し、当該蒸散孔を介して前記筺体の内側から外側に向かう力を掛けられたときに前記筺体から外方に展開するように前記筐体に揺動自在に設けられた開放手段と、
を備えていることを特徴としている。
【００１７】
請求項４に記載の発明によれば、蒸散孔を少なくとも一つ有し、当該蒸散孔を介して筺体の内側から外側に向かう力を掛けられたときに該筺体から外方に展開するように該筐体に揺動自在に設けられた開放手段を第２の加熱蒸散装置が備えているので、誤って異物が蒸散孔に嵌り込んで引っ掛かっても、当該異物を蒸散孔から外方に引くことに伴って開放手段に筺体の内側から外側に向かう力が作用し、これにより該開放手段が筐体から外方に展開されるので、極めて容易に異物を筐体内部から外部へ退避させることができる。また、開放手段が筐体に揺動自在に設けられていることから、異物を離脱後は筐体に対して開放手段を直ぐに元の状態に戻すことができ、更には、別体の部材とは異なり、開放手段が筐体から外れて紛失するようなことがない。
【００１８】
また、本発明に係る第２の加熱蒸散装置は、請求項５に記載したように、前記開放手段が、前記蒸散孔への外部からの異物の侵入を防止するための異物侵入防止手段を設けた蓋体であることを特徴としている。
【００１９】
請求項５に記載の発明によれば、開放手段が、蒸散孔への外部からの異物の侵入を防止するための異物侵入防止手段を設けた蓋体であるので、筐体内への異物の侵入を防止することができる。
【００２０】
また、前述した目的を達成するために、本発明に係る第３の加熱蒸散装置は、請求項６に記載したように、
液体を収容するための液体容器と、
前記液体容器に取付けられ、前記液体容器から露出される一端および前記液体に浸漬される他端を有する吸液芯と、
前記吸液芯を加熱するために該吸液芯の一端の近傍に配設された加熱手段と、
前記吸液芯が取付けられた前記液体容器および前記加熱手段を収容し、前記加熱手段による加熱によって前記吸液芯から蒸散される気体を外部に放出するための蒸散孔を少なくとも一つ有する筐体と、
を備え、
前記筐体が、前記蒸散孔を画成する面を有し且つ当該蒸散孔を介して前記筺体の内側から外側に向かう力を掛けられたときに前記筺体から分離されるように設けられた開放手段を備えていることを特徴としている。
【００２１】
請求項６に記載の発明によれば、第３の加熱蒸散装置の筐体が、蒸散孔を画成する面を有し且つ当該蒸散孔を介して筺体の内側から外側に向かう力を掛けられたときに筺体から分離されるように設けられた開放手段を備えているので、誤って異物が蒸散孔に嵌り込んで引っ掛かっても、当該異物を蒸散孔から外方に引くことに伴って開放手段に筺体の内側から外側に向かう力が作用し、これにより該開放手段が筐体から分離されるので、極めて容易に異物を筐体内部から外部へ退避させることができる。
【００２２】
また、本発明に係る第３の加熱蒸散装置は、請求項７に記載したように、前記開放手段が、前記蒸散孔への外部からの異物の侵入を防止するための異物侵入防止手段を設けた蓋体であることを特徴としている。
【００２３】
請求項７に記載の発明によれば、開放手段が、蒸散孔への外部からの異物の侵入を防止するための異物侵入防止手段を設けた蓋体であるので、筐体内への異物の侵入を防止することができる。
【００２４】
以上、本発明について簡潔に説明した。更に、以下に説明される発明の実施の形態を添付の図面を参照して通読することにより、本発明の詳細は更に明確化されるであろう。
【００２５】
【発明の実施の形態】
以下、本発明に係る好適な実施形態を図面に基づいて詳細に説明する。
【００２６】
（第１実施形態）
図１は、本発明に係る加熱蒸散装置の第１実施形態の斜視図、そして図２は図１のＩＩ−ＩＩ矢視縦断面図である。図１および図２に示されるように加熱蒸散装置１は筐体２を備えている。尚、加熱蒸散装置１の筐体２内の構成要素については、既に説明した図９に示される従来の加熱蒸散装置５０の筐体５１内の構成要素と同様であるため、同一符号を付して説明を簡略化或いは省略する。
【００２７】
加熱蒸散装置１の筺体２は、吸液芯６１が取付けられた液体容器６０および加熱手段５５を収容するためのものであって、略円筒形状の周壁部２ａと、略半球形状の天井部２ｂとが、例えば合成樹脂の射出成形により一体に形成されている。筺体２の底部には液体容器６０を装着するための装着孔が設けられている。また、筐体２の天井部２ｂには、吸液芯６１の上端部に対向するように蒸散孔３が少なくとも一つ設けられる。尚、本実施形態では蒸散孔３全体として円形を形成する孔を用いているが、その形状は特に限定されない。
【００２８】
天井部２ｂには、開放手段の一例である略扇形の蓋体２ｃが開閉可能に一体に形成されている。具体的には、例えば加熱蒸散装置１（筐体２）を上方から見た平面視において蒸散孔３に連通して蒸散孔３を中心に略９０°の展開角度を有する２本のスリット４が、天井部２ｂに半径方向に形成され、更にスリット４は、円周方向に沿って互いに接近するように延設されている。図１および図２に示されるように、２本のスリット４の端部４ａ同士を繋ぐ線上には、筺体２の内面が略Ｖ字形に成形されて薄肉部２ｄが形成されている。よって、蓋体２ｃは、ヒンジとして働く薄肉部２ｄを介して、筺体２（天井部２ｂ）に揺動自在に設けられている。蓋体２ｃが筐体２に揺動自在に設けられているため、別体の部材とは異なり、蓋体２ｃが筐体２から外れて紛失するようなことがない。
【００２９】
図１に示されるように、円周方向における天井部２ｂの蓋体２ｃを挟む両側端部分には、蓋体２ｃの内面（裏面）を支持するように突出する支持部５が夫々設けられている。そして、蓋体２ｃが閉じて天井部２ｂが略半球形状となったとき、支持部５に蓋体２ｃの内面が当接して、蓋体２ｃがそれ以上筺体２内に入り込むのを阻止するようになっている。
【００３０】
図２に示されるように、蓋体２ｃに筺体２の内側から外側に向かう力が作用すると、薄肉部２ｄのヒンジ作用によって蓋体２ｃが実線で示される位置から二点鎖線で示される位置へ、矢印Ａ方向に展開し、蒸散孔３が拡開されるようになっている。
【００３１】
図１に示されるように、蒸散孔３を画成する内周面の一部を形成する蓋体２ｃの上端２ｈには、蒸散孔３への外部からの異物の侵入を防止するための異物侵入防止手段の一例として、２本のＩ字形の異物侵入防止片２ｇが設けられている。但し、蓋体２ｃの上端２ｈに設けられる異物侵入防止手段の形状が異物侵入防止片２ｇの形状のみに限定されないことに留意されるべきである。また、蒸散孔３の寸法や数によっては異物侵入防止手段を設けなくてもよい。尚、本実施形態において、異物侵入防止片２ｇは、蓋体２ｃを閉じたときに蒸散孔３内を横切るように形成されることが異物の侵入を防止する上で望ましい。
【００３２】
また、蓋体２ｃを筺体２に係止するための係止手段として、蓋体２ｃの両側面２ｅにそれぞれ形成された係止突起２ｆと、蓋体２ｃが筺体２に対して閉状態のときに蓋体２ｃの両側面２ｅと対向してスリット４を画成する筺体２の開口面２ｔにそれぞれ形成された係止孔２ｋと、が設けられている。また、その代わりに、蓋体２ｃの両側面２ｅに係止孔２ｋを形成し、そして筺体２の開口面２ｔに係止突起２ｆを形成してもよいことは言うまでもない。これら係止突起２ｆおよび係止孔２ｋは蓋体２ｃが筺体２に対して閉状態のときに嵌合して、蓋体２ｃを筺体２に係止する。これにより、不必要に蓋体２ｃが筺体２に対して開状態となることが防止される。尚、蒸散孔３を介して筺体２の内側から外側に向かう力が蓋体２ｃに掛けられたときに蓋体２ｃにより蒸散孔が容易に拡開されるように、係止突起２ｆの先端がテーパー状や半球状に形成されていることが望ましい。それ故、係止突起２ｆと係止孔２ｋとの嵌合具合についても適宜設定されるべきである。
【００３３】
次に、本実施形態の作用を説明する。筺体２内に液体容器６０を装着した後、スイッチ６３をＯＮにして加熱蒸散装置１を作動させると、加熱手段５５によって吸液芯６１が加熱され、吸い上げられた殺虫成分や芳香成分等を含む液体が気化し、蒸散孔３から加熱蒸散装置１の外部に蒸散し、有効に作用する。
【００３４】
異物、例えば、金具が誤って蒸散孔３に嵌まり込んで引っ掛かったとき、その金具を上方に引き上げる（即ち、蒸散孔３を介して筐体２の内側から外側に向かう力が蓋体２ｃに掛けられる）と、図２に示されるように、薄肉部２ｄがヒンジ作用して蓋体２ｃが矢印Ａ方向に展開される。これによって、蒸散孔３が大きく拡開するので、高温となる部材（特に、加熱手段５５および吸液芯６１の一端）から金具を容易に退避させることができる。そして、金具を退避させた後、蒸散孔３から金具を離脱させて、蓋体２ｃに作用する筺体２の内側から外側に向かう力を取り除くと、蓋体２ｃは薄肉部２ｄの弾性復元力によって自動的に元の位置に復帰しようとする。また、蒸散孔３に異物侵入防止片２ｇを設けた場合には、塵等の細かいものを除けば、基本的に、異物の侵入を防止することができる。
【００３５】
（第２実施形態）
次に、本発明に係る加熱蒸散装置の第２実施形態を図３および図４を参照して説明する。図３は、本発明に係る加熱蒸散装置の第２実施形態の平面図、そして図４は図３のＩＶ−ＩＶ矢視縦断面図である。図３および図４に示されるように加熱蒸散装置１０は筐体２０を備えている。尚、加熱蒸散装置１０の筐体２０内の構成要素については、第１実施形態と同様に、既に説明した図９に示される従来の加熱蒸散装置５０の筐体５１内の構成要素と同様であるため、同一符号を付して説明を簡略化或いは省略する。
【００３６】
加熱蒸散装置１０の筺体２０は、吸液芯６１が取付けられた液体容器６０および加熱手段５５を収容するためのものであって、略円筒形状の周壁部２０ａと、略半球形状の天井部２０ｂとが、例えば合成樹脂の射出成形により一体に形成されている。筺体２０の底部には液体容器６０を装着するための装着孔が設けられている。また、筐体２０の天井部２０ｂには、吸液芯６１の上端部に対向するように蒸散孔３０が少なくとも一つ設けられる。尚、本実施形態では蒸散孔３０全体として円形を形成する孔を用いているが、その形状は特に限定されない。
【００３７】
天井部２０ｂには、開放手段の一例である３つの略扇形の蓋体２０ｃが開閉可能に一体に形成されている。具体的には、例えば加熱蒸散装置１０（筐体２０）を上方から見た平面視において蒸散孔３０に連通して蒸散孔３０を中心に略１２０°の展開角度を有する３本のスリット４０が、天井部２０ｂに半径方向に形成され、更にスリット４０は、円周方向に沿って互いに接近するように延設されている。図３および図４に示されるように、３本のスリット４０のそれぞれ端部４０ａ同士を繋ぐ線上には、筺体２０の内面が略Ｖ字形に成形されて薄肉部２０ｄが形成されている。よって、各蓋体２０ｃは、ヒンジとして働く薄肉部２０ｄを介して、筺体２０（天井部２０ｂ）に揺動自在に設けられている。蓋体２０ｃが筐体２０に揺動自在に設けられているため、別体の部材とは異なり、蓋体２０ｃが筐体２０から外れて紛失するようなことがない。
【００３８】
図３に示されるように、各蓋体２０ｃの上端から筺体２０の内部に向かって、蒸散孔３０を画成するための円弧面２０ｈを有する内周壁２０ｐが延設されている。そして、３つの蓋体２０ｃが閉状態のとき蒸散孔３０が形成される。また、３つの蓋体２０ｃが閉じて天井部２０ｂが略半球形状となったとき、蓋体２０ｃの両側面２０ｅ（図４参照）がそれぞれ当接して、蓋体２０ｃがそれ以上筺体２０内に入り込むのを阻止するようになっている。
【００３９】
各蓋体２０ｃの円弧面２０ｈには、蒸散孔３０への外部からの異物の侵入を防止するための異物侵入防止手段の一例として、Ｉ字形の異物侵入防止片２０ｇが設けられている。但し、蓋体２０ｃの円弧面２０ｈに設けられる異物侵入防止手段の形状が異物侵入防止片２０ｇの形状のみに限定されないことに留意されるべきである。また、蒸散孔３０の寸法や数によっては異物侵入防止手段を設けなくてもよい。尚、本実施形態において、異物侵入防止片２０ｇは、３つの蓋体２０ｃを閉じたときに蒸散孔３０内で展開角度１２０°のＹ字形を形成することが異物の侵入を防止する上で望ましい。
【００４０】
３つの蓋体２０ｃの内周壁２０ｐの外周面２０ｒには、それぞれ凹部２０ｋが形成されている。これらの凹部２０ｋは互いに連通し合って環状凹部を形成する。この環状凹部には、リング状ばね、輪ゴム、等、蓋体２０ｃが不必要に開状態となることを防止するよう弾性復元力によって蓋体２０ｃを互いに接近させる方向に付勢し且つ蓋体２０ｃに筺体２０の内側から外側に向かう力が作用するときに蓋体２０ｃの開動作を許容するための弾性部材１２が、嵌め込まれている。これよって、平常時には３つの蓋体２０ｃが閉状態とされて略半球形状を保つようになっている。そして、いずれかの蓋体２０ｃに筺体２０の内側から外側に向かう力が作用すると、弾性部材１２を伸張させながら薄肉部２０ｄのヒンジ作用によって蓋体２０ｃが外方に展開し、それにより蒸散孔３０が拡開されるようになっている。
【００４１】
次に、本実施形態の作用を説明する。筺体２０内に液体容器６０を装着した後、スイッチ６３をＯＮにして加熱蒸散装置１０を作動させると、加熱手段５５によって吸液芯６１が加熱され、吸い上げられた殺虫成分や芳香成分等を含む液体が気化し、蒸散孔３０から加熱蒸散装置１０の外部に蒸散し、有効に作用する。
【００４２】
異物、例えば、金具が誤って蒸散孔３０に嵌まり込んで引っ掛かったとき、その金具を上方に引き上げる（即ち、蒸散孔３０を介して筐体２０の内側から外側に向かう力が３つの蓋体２０ｃのうち少なくとも一つに掛けられる）と、当該蓋体２０ｃが薄肉部２０ｄのヒンジ作用により外方に展開される。これによって、蒸散孔３０が大きく拡開するので、高温となる部材（特に、加熱手段５５および吸液芯６１の一端）から金具を容易に退避させることができる。そして、金具を退避させた後、蒸散孔３０から金具を離脱させて、蓋体２０ｃに作用する筺体２０の内側から外側に向かう力を取り除くと、蓋体２０ｃは弾性部材１２の弾性復元力によって確実に元の位置に復帰する。また、蒸散孔３０に異物侵入防止片２０ｇを設けた場合には、塵等の細かいものを除けば、基本的に、異物の侵入を防止することができる。
【００４３】
（第３実施形態）
次に、本発明に係る加熱蒸散装置の第３実施形態を図５および図６を参照して説明する。図５は、本発明に係る加熱蒸散装置の第３実施形態の斜視図、そして図６は図５のＶＩ−ＶＩ矢視縦断面図である。図５および図６に示されるように加熱蒸散装置１００は筐体２００を備えている。尚、加熱蒸散装置１００の筐体２００内の構成要素については、第１および第２実施形態と同様に、既に説明した図９に示される従来の加熱蒸散装置５０の筐体５１内の構成要素と同様であるため、同一符号を付して説明を簡略化或いは省略する。また、第３実施形態は、第１実施形態と多くの共通する部分を有しており、異なる部分としては蓋体の構造のみであるため、第１実施形態と共通する部分については同一符号を付して明確化を図り説明を簡略化或いは省略する。
【００４４】
図５および図６に示されるように、加熱蒸散装置１００の筺体２００の天井部２ｂには、吸液芯６１の上端部に対向するように開口１７が設けられている。天井部２ｂには、開放手段の一例である蓋体２００ｃが開閉可能に一体に形成されている。この蓋体２００ｃの上部には、少なくとも一つの蒸散孔３００を有する枠２００ｗが設けられている。そして、蓋体２００ｃが閉じて天井部２ｂが略半球形状となったとき、枠２００ｗが開口１７に嵌め込まれる。
【００４５】
図５に示されるように、蒸散孔３００を画成する枠２００ｗの内周面２００ｈには、蒸散孔３００への外部からの異物の侵入を防止するための異物侵入防止手段の一例として、十字形の異物侵入防止片２００ｇが設けられている。但し、枠２００ｗの内周面２００ｈに設けられる異物侵入防止手段の形状が異物侵入防止片２００ｇの形状のみに限定されないことに留意されるべきである。また、蒸散孔３００の寸法や数によっては異物侵入防止手段を設けなくてもよい。
【００４６】
次に、本実施形態の作用を説明する。異物、例えば、金具が誤って蒸散孔３００に嵌まり込んで引っ掛かったとき、その金具を上方に引き上げる（即ち、蒸散孔３００を介して筐体２００の内側から外側に向かう力が蓋体２００ｃに掛けられる）と、図６に示されるように、薄肉部２ｄがヒンジ作用して蓋体２００ｃが矢印Ａ方向に展開される。これによって、極めて容易に金具を筐体２００内部から外部へ退避させることができる。そして、金具を退避させた後、蒸散孔３００から金具を離脱させて、蓋体２００ｃに作用する筺体２００の内側から外側に向かう力を取り除くと、蓋体２００ｃは薄肉部２ｄの弾性復元力によって自動的に元の位置に復帰しようとする。このように、蓋体２００ｃが筐体２００に揺動自在に設けられていることから、異物を離脱後は筐体２００に対して蓋体２００ｃを直ぐに元の状態に戻すことができ、更には、別体の部材とは異なり、蓋体２００ｃが筐体２００から外れて紛失するようなことがない。また、蒸散孔３００に異物侵入防止片２００ｇを設けた場合には、塵等の細かいものを除けば、基本的に、異物の侵入を防止することができる。
【００４７】
（第４実施形態）
次に、本発明に係る加熱蒸散装置の第４実施形態を図７および図８を参照して説明する。図７は、本発明に係る加熱蒸散装置の第４実施形態における上半部（蓋体）と下半部に分離された筐体を示す縦断面図、そして図８は分離された上半部（蓋体）および下半部をそれぞれ上方から見た平面図である。図７および図８に示されるように加熱蒸散装置８００は筐体５００を備えている。尚、加熱蒸散装置８００の筐体５００内の構成要素については、第１、第２および第３実施形態と同様に、既に説明した図９に示される従来の加熱蒸散装置５０の筐体５１内の構成要素と同様であるため、同一符号を付して説明を簡略化或いは省略する。
【００４８】
図７および図８に示されるように、加熱蒸散装置８００の筺体５００は、第１〜第３実施形態における筐体と同様に、合成樹脂の射出成形により形成されており、吸液芯６１が取付けられた液体容器６０および加熱手段５５を収容するためのものであって、下半部５００ａを備え、更に開放手段の一例である蓋体として上半部５００ｂを下半部５００ａから分離可能に備えている。上半部５００ｂには、吸液芯６１の上端部に対向するように蒸散孔７００が少なくとも一つ設けられている。尚、上半部５００ｂと下半部５００ａとの分離箇所は、蒸散孔７００を画成する内周面を上半部５００ｂが有するようにすれば、筐体５００の略円筒形状の周壁部および略半球形状の天井部の何処でもよい。図７および図８では、上半部５００ｂと下半部５００ａとの分離箇所を筐体５００の天井部内にした一例が示されている。
【００４９】
また、蒸散孔７００を画成する上半部５００ｂの内周面には、蒸散孔７００への外部からの異物の侵入を防止するための異物侵入防止手段の一例として、十字形の異物侵入防止片７００ｇが設けられている。但し、当該上半部５００ｂの内周面に設けられる異物侵入防止手段の形状が異物侵入防止片７００ｇの形状のみに限定されないことに留意されるべきである。また、蒸散孔７００の寸法や数によっては異物侵入防止手段を設けなくてもよい。
【００５０】
また、本実施形態では、閉状態において上半部５００ｂを下半部５００ａに係止するための係止手段として、上半部５００ｂの内面に形成された複数の片持ち状の係止アーム６００ａと、上半部５００ｂが下半部５００ａに対して閉状態のときに係止アーム６００ａの自由端の突部６００ｂと係合するように下半部５００ａの内面に形成された複数の係止突起６００ｘと、が設けられている。その代わりに、上半部５００ｂの内面に係止突起６００ｘを形成し、そして下半部５００ａの内面に係止アーム６００ａを形成してもよいことは言うまでもない。このように係止アーム６００ａおよび係止突起６００ｘを設けることで、不必要に上半部５００ｂが下半部５００ａに対して開状態となることが防止される。また更に下半部５００ａの内面には係止突起６００ｘそれぞれを挟むように対向する複数のアーム移動規制壁６００ｚが設けられており、上半部５００ｂが下半部５００ａに対して閉状態のときに上半部５００ｂと下半部５００ａが不必要に相対的に回動して係止アーム６００ａと係止突起６００ｘとが係合解除されることを防止している。尚、蒸散孔７００を介して筺体５００の内側から外側に向かう力が上半部５００ｂに掛けられたときに上半部５００ｂが下半部５００ａから容易に分離されるように、係合している突部６００ｂおよび係止突起６００ｘの傾斜面６００ｃおよび傾斜面６００ｙの傾斜勾配は適宜緩やかに設定されていることが望ましい。
【００５１】
次に、本実施形態の作用を説明する。異物、例えば、金具が誤って蒸散孔７００に嵌まり込んで引っ掛かったとき、その金具を上方に引き上げる（即ち、蒸散孔７００を介して筐体５００の内側から外側に向かう力が上半部５００ｂに掛けられる）と、図７に示されるように、係止アーム６００ａの突部６００ｂと係止突起６００ｘとが係合解除されて上半部５００ｂが下半部５００ａから矢印Ｂ方向に分離される。このように、極めて容易に金具を筐体５００内部から外部へ退避させることができる。そして、蒸散孔７００から金具を離脱させた後は、各係止アーム６００ａを対応する一対のアーム移動規制壁６００ｚに案内させながら、上半部５００ｂを元の状態に戻すように下半部５００ａに再び取付けることができる。また、蒸散孔７００に異物侵入防止片７００ｇを設けた場合には、塵等の細かいものを除けば、基本的に、異物の侵入を防止することができる。
【００５２】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００５３】
尚、前述した第１〜第３実施形態では、ヒンジ作用により蓋体を筐体に対して揺動自在にさせ、弾性復元力によって蓋体を開状態から閉状態へ自動的に復帰させるような薄肉部を形成しているが、本発明はこれに限定されず、ヒンジとしての機能は満たしながら蓋体を開状態から閉状態へ自動的に復帰させることはできない薄肉部を用いてもよい。また、薄肉部の代わりに、軸および軸受等からなる蝶番のような部材を蓋体と筐体との間に設けてもよい。この場合、該蝶番のような部材は、別部材として蓋体と筐体との間に取付けられるものであってもよいし、蓋体と筐体との間に一体成形されるものであってもよい。また同様に、前述した第４実施形態における上半部５００ｂと下半部５００ａとを適宜ヒンジ接続してもよい。
【００５４】
【発明の効果】
以上、説明したように、本発明の第１の加熱蒸散装置によれば、蒸散孔を画成する面の一部を形成するように筐体に設けられ、蒸散孔を介して筺体の内側から外側に向かう力を掛けられたときに当該蒸散孔を拡開する開放手段を第１の加熱蒸散装置が備えているので、誤って異物が蒸散孔に嵌り込んで引っ掛かっても、当該異物を蒸散孔から外方に引くことに伴って開放手段に筺体の内側から外側に向かう力が作用し、これにより当該開放手段が蒸散孔を拡開するので、極めて容易に異物を高温となる部材から退避させ、蒸散孔から離脱させることができる。
【００５５】
また、本発明の第１の加熱蒸散装置によれば、開放手段が、筺体から外方に展開可能なように該筐体に揺動自在に設けられた蓋体であるので、蒸散孔を大きく拡開することができ、それにより、該蒸散孔に嵌め込まれた異物を傷つけることなく簡単に離脱させることができる。また、開放手段、即ち、蓋体が筐体に揺動自在に設けられているため、異物を離脱後は筐体に対して蓋体を直ぐに元の状態に戻すことができ、更には、別体の部材とは異なり、蓋体が筐体から外れて紛失するようなことがない。
【００５６】
また、本発明の第１の加熱蒸散装置によれば、蒸散孔への外部からの異物の侵入を防止するための異物侵入防止手段を開放手段に設けたので、筐体内への異物の侵入を防止することができる。
【００５７】
また、本発明の第２の加熱蒸散装置によれば、蒸散孔を少なくとも一つ有し、当該蒸散孔を介して筺体の内側から外側に向かう力を掛けられたときに該筺体から外方に展開するように該筐体に揺動自在に設けられた開放手段を第２の加熱蒸散装置が備えているので、誤って異物が蒸散孔に嵌り込んで引っ掛かっても、当該異物を蒸散孔から外方に引くことに伴って開放手段に筺体の内側から外側に向かう力が作用し、これにより該開放手段が筐体から外方に展開されるので、極めて容易に異物を筐体内部から外部へ退避させることができる。また、開放手段が筐体に揺動自在に設けられていることから、異物を離脱後は筐体に対して開放手段を直ぐに元の状態に戻すことができ、更には、別体の部材とは異なり、開放手段が筐体から外れて紛失するようなことがない。
【００５８】
また、本発明の第２の加熱蒸散装置によれば、開放手段が、蒸散孔への外部からの異物の侵入を防止するための異物侵入防止手段を設けた蓋体であるので、筐体内への異物の侵入を防止することができる。
【００５９】
また、本発明の第３の加熱蒸散装置によれば、筐体が、蒸散孔を画成する面を有し且つ当該蒸散孔を介して筺体の内側から外側に向かう力を掛けられたときに筺体から分離されるように設けられた開放手段を備えているので、誤って異物が蒸散孔に嵌り込んで引っ掛かっても、当該異物を蒸散孔から外方に引くことに伴って開放手段に筺体の内側から外側に向かう力が作用し、これにより該開放手段が筐体から分離されるので、極めて容易に異物を筐体内部から外部へ退避させることができる。
【００６０】
また、本発明の第３の加熱蒸散装置によれば、開放手段が、蒸散孔への外部からの異物の侵入を防止するための異物侵入防止手段を設けた蓋体であるので、筐体内への異物の侵入を防止することができる。
【図面の簡単な説明】
【図１】本発明に係る加熱蒸散装置の第１実施形態の斜視図である。
【図２】図１のＩＩ−ＩＩ矢視縦断面図である。
【図３】本発明に係る加熱蒸散装置の第２実施形態の平面図である。
【図４】図３のＩＶ−ＩＶ矢視縦断面図である。
【図５】本発明に係る加熱蒸散装置の第３実施形態の斜視図である。
【図６】図５のＶＩ−ＶＩ矢視縦断面図である。
【図７】本発明に係る加熱蒸散装置の第４実施形態における上半部（蓋体）と下半部に分離された筐体を示す縦断面図である。
【図８】加熱蒸散装置の第４実施形態における分離された上半部（蓋体）および下半部をそれぞれ上方から見た平面図である。
【図９】従来の加熱蒸散装置の縦断面図である。
【符号の説明】
１，１０，１００，８００　　　　　加熱蒸散装置
２，２０，２００，５００　　　　　筺体
２ｃ，２０ｃ，２００ｃ　　　　　　蓋体（開放手段）
５００ｂ　　　　　　　　　　　　　上半部（開放手段）
２ｇ，２０ｇ，２００ｇ，７００ｇ　異物侵入防止片（異物侵入防止手段）
３，３０，３００，７００　　　　　蒸散孔
５５　　加熱手段
６０　　液体容器
６１　　吸液芯
【図１】
2004081116.tif 000003
【図２】
2004081116.tif 000004
【図３】
2004081116.tif 000005
【図４】
2004081116.tif 000006
【図５】
2004081116.tif 000007
【図６】
2004081116.tif 000008
【図７】
2004081116.tif 000009
【図８】
2004081116.tif 000010
【図９】
2004081116.tif 000011